(57)【要約】      （修正有）【課題】  低コスト化を実現するとともにコンパクトな画像形成装置を供給する。【解決手段】  画像形成装置の各手段を冷却する冷却ファン１５１、画像形成装置の制御部１３０、制御部に電圧を供給する低圧電源部、用紙にトナー像を定着する定着部、定着部を駆動する定着駆動部を有する画像形成装置において、低圧電源部と定着駆動部の間に金属部材または透磁率の高い部材１５２を配置し、この金属部材または透磁率の高い部材１５２は低圧電源部に冷却ファン１５１の風を導く機能も備える。【選択図】図２
2007033642.tif 000002
【特許請求の範囲】
【請求項１】
画像形成装置の各手段を冷却する冷却ファン、画像形成装置の制御部、制御部に電圧を供給する低圧電源部、用紙にトナー像を定着する定着部、定着部を駆動する定着駆動部を有する画像形成装置において、
低圧電源部と定着駆動部の間に金属部材を配置し、この金属部材は低圧電源部に冷却ファンの風を導く機能も備えたことを特徴とする画像形成装置。
【請求項２】
画像形成装置の各手段を冷却する冷却ファン、画像形成装置の制御部、制御部に電圧を供給する低圧電源部、用紙にトナー像を定着する定着部、定着部を駆動する定着駆動部を有する画像形成装置において、
低圧電源部と定着駆動部の間に透磁率の高い部材を配置し、この部材は低圧電源部に冷却ファンの風を導く機能も備えたことを特徴とする画像形成装置。
【請求項３】
低圧電源部と定着駆動部は１枚の基板に実装されていることを特徴とする請求項１に記載の画像形成装置。
【発明の詳細な説明】
【技術分野】
【０００１】
本発明は記録媒体に画像を形成する画像形成装置に関する。ここで画像形成装としては、例えば電子写真複写機、プリンタ、ワードプロセッサ及びファクシミリ装置等が含まれる。
【背景技術】
【０００２】
従来、画像形成装置の制御部に電圧を供給する低圧電源部と用紙に形成したトナー像を定着する定着部を駆動する定着駆動部は１枚の基板上に配置されている。低圧電源部で発生するノイズは近接する定着部に磁気カップリングして、定着駆動部を経由して低圧電源のノイズが画像形成装置の外に出て行く。このため、低圧電源部と定着駆動部の間に金属製の部材や透磁率の高い部材を配置して、低圧電源部で発生したノイズをこの部材で遮断して、定着駆動部にはカップリングしないようにしていた。
【０００３】
また、低圧電源部は発熱量が多いため、ダクトを設けて、空冷用のファンの風を低圧電源部に流れるようにしていた。
【０００４】
このような画像形成装置としては、例えばレーザビームプリンタにおいては特開平６−６９６７９号公報等を挙げることができる。
【特許文献１】特開平６−６９６７９号公報
【発明の開示】
【発明が解決しようとする課題】
【０００５】
しかしながら、上記の従来例では磁気遮蔽用に専用の部材と専用のダクトを必要としていた。
【０００６】
さらに、これらを配置するスペースが必要となり、低コスト化と小型化の障害となっていた。
【０００７】
本発明は上記のような問題点に着目してなされたもので低コスト化を実現するとともにコンパクトな画像形成装置を供給することを目的としている。
【課題を解決するための手段】
【０００８】
上記目的を達成するために、本発明は画像形成装置の各手段を冷却する冷却ファン、画像形成装置の制御部、制御部に電圧を供給する低圧電源部、用紙にトナー像を定着する定着部、定着部を駆動する定着駆動部を有する画像形成装置において、低圧電源部と定着駆動部の間に金属部材を配置し、この金属部材は低圧電源部に冷却ファンの風を導く機能も備えたことを特徴とするものである。
【０００９】
さらに、画像形成装置の各手段を冷却する冷却ファン、画像形成装置の制御部、制御部に電圧を供給する低圧電源部、用紙にトナー像を定着する定着部、定着部を駆動する定着駆動部を有する画像形成装置において、低圧電源部と定着駆動部の間に透磁率の高い部材を配置し、この部材は低圧電源部に冷却ファンの風を導く機能も備えたことを特徴とするものである。
【００１０】
さらに低圧電源部と定着駆動部は１枚の基板に実装されていることを特徴とするものである。
【発明の効果】
【００１１】
以上説明したように、本発明によれば、磁気遮蔽用の金属部材または透磁率の高い部材で、ダクトを形成することで部材を１つ削除でき、低コスト化を実現した画像形成装置を提供できる。
【００１２】
さらに、これを配置していたスペースを削除できるため、小型化も実現した画像形成装置を提供できる。
【発明を実施するための最良の形態】
【００１３】
以下に本発明の一実施の形態を電子写真方式を採用した画像形成装置であるレーザビームプリンタを例に説明する。
【００１４】
図1は本実施例の画像形成装置の概略構成図である。図1において、104は有機感光体やアモルファスシリコン感光体でできた感光ドラムであり、時計方向に所定の周速度（プロセススピード）をもって回転駆動される。この回転感光体ドラム104帯電ローラ105によりその周面が所定の極性、電位に一様に帯電される。そして、その帯電面に、レーザ光学箱108から画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー109によって変更されて照射されることにより、走査露光が行われ、画像情報に対応した静電潜像が形成される。
【００１５】
このように目的の画像に対応して形成された静電潜像は、現像器106により現像される。
【００１６】
これら一連の電子写真制御は画像形成制御部130で行なわれる。
【００１７】
次に、この感光ドラム104に対して、給紙カセット103から被記録材が給紙ローラ102により１枚給紙されることにより、前記被記録材に対して感光ドラム104側の鏡像トナー像が形成される。この転写ローラ107は被記録材の背面からトナーと逆極性の電荷を供給することで、感光ドラム104から被記録材にトナー像を転写するものである。このようにトナー像の転写を受けた被記録材は、感光ドラム104から分離されて熱定着装置110へ送り込まれ、ヒータ111によってトナー像の熱定着を受ける。
【００１８】
熱定着を受けた被記録材は、DCブラシレスモータ132により駆動されるFDローラ113により搬送され排紙トレイ114に排出される。
【００１９】
画像データは画像信号発生装置（図示せず）から画像制御部131に送られ、画像制御部131で画像処理をした信号に変換され、レーザ光学箱108に送られる。レーザ光学箱108はこの信号に応じて変調したレーザ光を感光ドラムに照射することで画像に対応した静電潜像を生成する。
【００２０】
図２は本実施例の画像形成装置の正面からみた断面図である。
【００２１】
両側にコの字の形をした板金140、141を配置し、この両板金を画像形成制御部130とスキャナー板金143で橋渡しをする。両側の板金をコの字の形にすることで板金の強度を増している。スキャナー板金143上にはレーザ光学台108を配置する。板金140には画像制御部131を配置する。空冷ファン151の風は第一のダクト150によって画像形成制御部130に導かれる。
【００２２】
152は本発明の磁気遮蔽とダクトを兼用した磁気遮蔽ダクトである。
【００２３】
152は磁気を遮蔽する金属部材または透磁率の高い部材で低圧電源部と定着駆動部の間に配置することで低圧電源からのノイズを遮蔽して、定着駆動に伝達しない。
【００２４】
また、152によって冷却用ファンの風は低圧電源部に導かれる。
【００２５】
図３は本実施例の画像形成装置の斜視図である。
【００２６】
両側にコの字の形をした板金140、141を配置し、この両板金を画像形成制御部130とスキャナー板金143で橋渡しをする。両側の板金をコの字の形にすることで板金の強度を増している。スキャナー板金143上にはレーザ光学台108を配置する。板金140には画像制御部131を配置する。
【００２７】
150は第一のダクトである。
【００２８】
図４は本実施例の画像形成制御部１３０を上面から見た図である。
【００２９】
低圧電源部は画像形成制御部130のＡ部に定着駆動部はＢ部に配置する。
【００３０】
磁気遮蔽とダクトを兼用した磁気遮蔽ダクト152は低圧電源部と定着部の間に配置することで、低圧電源部Ａからのノイズを遮蔽して、定着駆動部Ｂに伝達しない。
【００３１】
また、152は第一のダクト150で導かれてきた冷却用ファン151からの風を低圧電源部Ａに導く。
【００３２】
図５は本発明の制御構成を示すブロック図である。
【００３３】
130は画像形成制御部、110は定着部、121はトナーカートリッジ、131は画像制御部、レーザ光学箱108、151は空冷用のファンである。
【００３４】
モータ132は画像形成制御部130から信号で回転駆動され、駆動伝達部142を通して定着110、感光ドラム104、各種記録材搬送用のローラに駆動力を供給している。
【００３５】
以上のように磁気遮蔽用の金属部材または透磁率の高い部材で、ダクトを形成することで低コスト化を実現するとともにコンパクトな画像形成装置を実現できる。
【図面の簡単な説明】
【００３６】
【図１】本発明の実施例の構成を示す側面からの断面図
【図２】本発明の実施例の構成を示す斜視図
【図３】本発明の実施例の構成を示す正面からの断面図
【図４】本発明の実施例の構成を示す上面からの図
【図５】本発明の実施例の制御構成を示すブロック図
【符号の説明】
【００３７】
102  給紙ローラ
104  感光ドラム
105  帯電ローラ
106  現像器
107  転写ローラ
108  レーザ光学箱
109  レーザ光反射ミラー
110  熱定着器
111  ヒータ
113  FDローラ
120  トナーカートリッジ
130  画像形成制御部
131  画像制御部
132  モータ
140  コの字の形をした板金
141  コの字の形をした板金
142  スキャナー板金
150  第一のダクト
151  冷却用ファン
152  磁気遮蔽とダクトを兼用した磁気遮蔽ダクト
【図１】
2007033642.tif 000003
【図２】
2007033642.tif 000004
【図３】
2007033642.tif 000005
【図４】
2007033642.tif 000006
【図５】
2007033642.tif 000007